(57)【要約】【課題】１型および２型の色覚障害者が赤と緑の混同色を識別し易くするために色彩画像に所定の色補正を施す色補正処理装置を提供する。さらに、１型の色覚障害者による赤色の彩度の認識を容易にするための色補正処理装置を提供する。【解決手段】本発明の色補正処理装置（１０００）は、入力された元色彩画像データの赤色部分および緑色部分の明度をそれぞれ異なる周期で変化させる。ここで、前記赤色部分および緑色部分の明度の変化量は、その明度および／または彩度に応じて変わることを特徴とする。また、前記赤色部分および緑色部分の明度は、２ないし３以上の段階で変化する。この発明により、色覚障害者は予め補正条件がわかっていれば、明度の変化の態様によって画像中の色彩状況を正確に把握することができる。【選択図】図１
2010164618.tif 000002
【特許請求の範囲】
【請求項１】
色彩画像データに所定の色補正を施す色補正処理装置であって、
前記色彩画像データの赤色部分および緑色部分の明度をそれぞれ異なる周期で変化させることを特徴とする色補正処理装置。
【請求項２】
前記赤色部分は、前記色彩画像を構成する画素であって、そのＲレベルがＧレベルより大きい画素で構成され、
前記緑色部分は、前記色彩画像を構成する画素であって、そのＧレベルがＲレベルより大きい画素で構成されることを特徴とする請求項１に記載の色補正処理装置。
【請求項３】
前記赤色部分および緑色部分の明度の変化量は、その色相に応じて変わることを特徴とする請求項１または２に記載の色補正処理装置。
【請求項４】
前記赤色部分および緑色部分の明度の変化量は、その彩度に応じて変わることを特徴とする請求項１ないし３の何れか一項に記載の色補正処理装置。
【請求項５】
前記赤色部分および緑色部分の明度は、段階的に変化することを特徴とする請求項１ないし４の何れか一項に記載の色補正処理装置。
【請求項６】
前記赤色部分および緑色部分の明度は、二段階で変化することを特徴とする請求項５に記載の色補正処理装置。
【請求項７】
色彩画像データに色補正を施す色補正処理方法であって、
前記色彩画像データから赤色部分と緑色部分とを識別する色識別段階と、
前記識別した赤色部分と緑色部分の明度をそれぞれ異なる周期で変化させる明度変化段階と、
を含むことを特徴とする色補正処理方法。
【請求項８】
前記色識別段階では、前記色彩画像データを構成する画素のそれぞれについて、そのＲレベルとＧレベルとを比較し、Ｒレベルの方が大きい画素を前記赤色部分、Ｇレベルの方が大きい画素を前記緑色部分として識別することを特徴とする請求項７に記載の色補正処理方法。
【請求項９】
前記赤色部分および緑色部分の明度の変化量は、その色相に応じて変わることを特徴とする請求項７または８に記載の色補正処理方法。
【請求項１０】
前記赤色部分および緑色部分の明度の変化量は、その彩度に応じて変わることを特徴とする請求項７ないし９の何れか一項に記載の色補正処理方法。
【請求項１１】
前記明度変化段階において、前記赤色部分と緑色部分の明度を段階的に変化させることを特徴とする請求項７ないし１０に何れか一項に記載の色補正処理方法。
【請求項１２】
前記赤色部分と緑色部分の明度を、二段階で変化させることを特徴とする請求項１１に記載の色補正処理方法。
【請求項１３】
請求項７ないし１２の何れか一項に記載の色補正処理方法をコンピュータに実行させることを特徴とするプログラム。
【請求項１４】
請求項１３に記載のプログラムを格納したコンピュータ可読媒体。
【請求項１５】
請求項７ないし１２の何れか一項に記載の色補正処理方法を行う電子回路。
【請求項１６】
請求項１５に記載の電子回路を格納した表示装置。
【発明の詳細な説明】
【技術分野】
【０００１】
本発明は、色彩画像データに所定の色補正を施す色補正処理装置、色補正処理方法、色補正処理プログラム、並びに該プログラムを格納したコンピュータ可読媒体に関する。より詳細には、本発明は、色覚障害者が正確に色認識できるよう色補正を行う色補正処理装置、色補正処理方法、色補正処理プログラム、並びに該プログラムを格納したコンピュータ可読媒体に関する。
【背景技術】
【０００２】
「色覚障害」とは、目の網膜に存在する、色を感じる錐体細胞の欠損や不完全によって色の認識および識別が正しくできないことである。この色覚障害は、障害を有する錐体細胞の種類により１型ないし３型に分類される。以下、これらの障害内容について順に説明する。
【０００３】
１型は、主に赤色を認識するＬ錐体細胞の障害により赤色を認識することが困難な色覚障害を示す。２型は、主に緑色を認識するＭ錐体細胞の障害により緑色を認識することが困難な色覚障害を示す。１型および２型は、色覚障害の中で最も多くを占め、２００９年１月の時点で日本人では男性の２０人に１人、女性の５００人に１人に相当すると言われている。
【０００４】
３型色覚障害は、主に青色を認識するＳ錐体細胞の障害により生ずるものであるが、先天的にこの障害が発生することは稀であり、また、日常生活においてさほど不便は感じない。
【０００５】
これらの色覚障害を有する人達（以下、「色覚障害者」と称する）は特定の色が同じように見えてしまい、これらの色が隣接するとこれらの区分けが困難となる。例えば、１型および２型色覚障害者の場合、赤色と緑色が隣接するとそれらを混同してしまう。そのため、緑の葉と紅葉、カレンダーの平日と祝祭日、肉の焼けた部分と生の部分などの区別ができずに生活に支障をきたす場合がある。さらに、１型色覚障害者は暗い赤色と黒との判別も難しく、赤色に対する彩度の変化も正常に識別できない。
【０００６】
上述のような色覚障害者の不都合を解決するための手段として、特許文献１が開示する技術が挙げられる。当該技術では、見分けにくい色のグレースケール画像を作成し、その画像と元画像とを交互にフラッシュ表示させることでこれらの色を識別できるようにしている。
【特許文献１】特許第４０９７６２８号
【発明の開示】
【発明が解決しようとする課題】
【０００７】
しかし、特許文献１の技術では、元画像とグレースケール画像や淡色のグラディエーション画像とが交互に表示されるため非常に不自然な画像となってしまう。さらに、１型および２型色覚障害者が認識し難い赤と緑の混同色は見分けやすいが、他の色同士、例えば赤と黒の境界などは見分けにくくなる。また、当該技術では色相のみを対象としており、その他の色の要素、例えば明度、彩度などは考慮していない。したがって、上述の不都合を完全に解決しているとは言い難い。
【０００８】
本発明は上記の事情に鑑みて創案されたものであり、本発明の課題は、１型および２型の色覚障害者が赤、緑、それらの混同色を識別し易くするために色彩画像に所定の色補正を施す色補正処理装置、色補正処理方法、色補正処理プログラム、並びに該プログラムを格納したコンピュータ可読媒体を提供することである。
【０００９】
本発明の別の課題は、１型の色覚障害者による赤色の彩度の認識を容易にするための色補正処理装置、色補正処理方法、色補正処理プログラム、並びに該プログラムを格納したコンピュータ可読媒体を提供することである。
【課題を解決するための手段】
【００１０】
前記課題を解決するために創案された請求項１の発明は、色彩画像データに所定の色補正を施す色補正処理装置であって、前記色彩画像データの赤色部分および緑色部分の明度をそれぞれ異なる周期で変化させることを特徴とする色補正処理装置である。
【００１１】
前記課題を解決するために創案された請求項２の発明は、請求項１に記載の色補正処理装置において、前記赤色部分が、前記色彩画像を構成する画素であって、そのＲレベルがＧレベルより大きい画素で構成され、前記緑色部分が、前記色彩画像を構成する画素であって、そのＧレベルがＲレベルより大きい画素で構成されることを特徴とする。
【００１２】
前記課題を解決するために創案された請求項３の発明は、請求項１または２に記載の色補正処理装置において、前記赤色部分および緑色部分の明度の変化量が、その色相に応じて変わることを特徴とする。
【００１３】
前記課題を解決するために創案された請求項４の発明は、請求項１ないし３の何れか一項に記載の色補正処理装置において、前記赤色部分および緑色部分の明度の変化量が、その彩度に応じて変わることを特徴とする。
【００１４】
前記課題を解決するために創案された請求項５の発明は、請求項１ないし４の何れか一項に記載の色補正処理装置において、前記赤色部分および緑色部分の明度が段階的に変化することを特徴とする。
【００１５】
前記課題を解決するために創案された請求項６の発明は、請求項５に記載の色補正処理装置において、前記赤色部分および緑色部分の明度が、二段階で変化することを特徴とする。
【００１６】
前記課題を解決するために創案された請求項７の発明は、色彩画像データに色補正を施す色補正処理方法であって、前記色彩画像データから赤色部分と緑色部分とを識別する色識別段階と、前記識別した赤色部分と緑色部分の明度をそれぞれ異なる周期で変化させる明度変化段階と、を含むことを特徴とする色補正処理方法である。
【００１７】
前記課題を解決するために創案された請求項８の発明は、請求項７に記載の色補正処理方法において、前記色識別段階で前記色彩画像データを構成する画素のそれぞれについて、そのＲレベルとＧレベルとを比較し、Ｒレベルの方が大きい画素を前記赤色部分、Ｇレベルの方が大きい画素を前記緑色部分として識別することを特徴とする。
【００１８】
前記課題を解決するために創案された請求項９の発明は、請求項７または８に記載の色補正処理方法において、前記赤色部分および緑色部分の明度の変化量が、その色相に応じて変わることを特徴とする。
【００１９】
前記課題を解決するために創案された請求項１０の発明は、請求項７ないし９の何れか一項に記載の色補正処理方法において、前記赤色部分および緑色部分の明度の変化量が、その彩度に応じて変わることを特徴とする。
【００２０】
前記課題を解決するために創案された請求項１１の発明は、請求項７ないし１０に記載の色補正処理方法において、前記明度変化段階で前記赤色部分と緑色部分の明度を段階的に変化させることを特徴とする。
【００２１】
前記課題を解決するために創案された請求項１２の発明は、請求項１１に記載の色補正処理方法において、前記赤色部分と緑色部分の明度を二段階で変化させることを特徴とする。
【００２２】
前記課題を解決するために創案された請求項１３の発明は、請求項７ないし１２の何れか一項に記載の色補正処理方法をコンピュータに実行させることを特徴とするプログラムである。
【００２３】
前記課題を解決するために創案された請求項１４の発明は、請求項１３に記載のプログラムを格納したコンピュータ可読媒体である。
【００２４】
前記課題を解決するために創案された請求項１５の発明は、請求項７ないし１２の何れか一項に記載の色補正処理方法を行う電子回路である。
【００２５】
前記課題を解決するために創案された請求項１６の発明は、請求項１５に記載の電子回路を格納した表示装置である。
【００２６】
１型および２型色覚障害者によって認識し難い色は、赤色、緑色、およびこれらの混合色である。したがって、請求項１および請求項７の発明では、元色彩画像の中の赤色部分と緑色部分とを選択的に補正している。１型および２型色覚障害者は予め補正条件がわかっていれば、明度の変化の態様によって画像中の色彩状況を正確に把握することができる。
【００２７】
請求項２および請求項８の発明では、色補正を元色彩画像の画素単位で行うことにより、詳細かつ高精度な色補正を提供する。
【００２８】
請求項３および請求項９の発明では、例えば、赤色部分においては、そのＲレベルがＧレベルより大きいほど、すなわち色相が赤に近づくほど、明度の変化量が大きくなる。一方、緑色部分においては、色相が緑に近づくほど、明度の変化量が大きくなる。したがって、１型および２型の色覚障害者は、明度の変化の度合いに基づいて画像中の赤色部分および緑色部分の色相の違いを認識することができる。すなわち、色に関する属性である「明度」を変化させることで、他の属性の「色相」の違いも併せて認識可能としている。
【００２９】
請求項４および請求項１０の発明では、赤色部分および緑色部分の明度がその彩度に応じて変化する。そのため、１型および２型の色覚障害者が明度の変化の度合いを基に色の彩度の違いを認識することができる。すなわち、色に関する属性である「明度」を変化させることで、他の属性の「彩度」の違いも併せて認識可能としている。
【００３０】
請求項５および請求項１１の発明では、赤色部分および緑色部分の明度を段階的に変化させている。この段階数を増やすほど明度は徐々に変化するため、より自然に見える。一方、段階数を減らせば演算するデータ量が減り、装置への負荷が軽減される。したがって、明度の変化の態様と装置への負荷状況とを考慮して、明度の変化の段階数が設定されることが好ましい。
【００３１】
請求項６および請求項１２の発明では、赤色部分および緑色部分の明度を２段階で変化させている。したがって、装置への負荷が少なく、演算能力の低い処理装置で本発明を実施することができる。
【００３２】
請求項１３ないし請求項１６の発明は、本発明の色補正をそれぞれプログラム、コンピュータ可読媒体、電子回路、表示装置の形態で提供する。
【発明の効果】
【００３３】
本発明によって、１型および２型の色覚障害者が赤、緑、それらの混同色を識別し易くするための色補正処理装置、色補正処理方法、色補正処理プログラム、並びに該プログラムを格納したコンピュータ可読媒体を提供することが可能となる。さらに、１型の色覚障害者による赤色の彩度の認識を容易にするための色補正処理装置、色補正処理方法、色補正処理プログラム、並びに該プログラムを格納したコンピュータ可読媒体を提供することも可能となる。
【発明を実施するための最良の形態】
【００３４】
本発明の一実施形態に係る色補正処理装置は、１型および２型色覚障害者が適切に色の認識ができるように元色彩画像に色補正を行う装置である。具体的な補正方法は、１型および２型色覚障害者が認識し難い赤色および緑色の部分の明度をそれぞれ異なる周期で変化させる。周期は任意の値に設定可能であるが、双方の周期の差が大きいほどより好適に違いを認識可能となる。本実施形態では赤色部分の明度切換周期を０．５秒に、そして緑色部分の明度切換周期を０．１秒に設定する。
以下に添付の図面を参照して本発明の一実施形態に係る色補正処理装置の機能について説明する。
【００３５】
図１は、本発明の一実施形態に係る色補正処理装置１０００の機能ブロック図である。この色補正処理装置１０００に所定のデジタル形式の元色彩画像のデータを入力すると、色補正が施された色彩画像のデータが出力される。当該色補正処理装置１０００は、機能要素として色彩処理部１０と、フレーム画像生成／格納部２０と、画像出力部３０とを備える。以下、それぞれの機能要素について詳細に説明する。
【００３６】
［色彩処理部］
色彩処理部１０は、元色彩画像の色補正に関する演算を画素単位で行う機能を有し、Ｒ／Ｇレベル比較部１１０と、明度演算部１２０とを備える。
【００３７】
Ｒ／Ｇレベル比較部１１０は、元色彩画像（例えば、図２（ａ）に示す画像）のデータを受け取ると、その画像を構成する各画素における色（Ｒ、Ｇ、Ｂ）レベルを求め、そのうちＲレベルとＧレベルとを比較する。なお、ここで各色成分のレベルは所定ビットの数値で表され、例えば８ビットで表現している場合には０〜２５５の範囲の数値となる。したがって、Ｒ／Ｇレベル比較部１１０はＲ成分とＧ成分におけるこれら数値（レベル）を比較する。比較した結果、Ｒ成分のレベルの方が大きい場合はその画素を赤色部分の画素(以下、Ｒ系画素とする)に設定し、Ｇ成分のレベルの方が大きい画素は緑色部分の画素(以下、Ｇ系画素とする)に設定する。
【００３８】
上述の処理と並列して、明度演算部１２０は元色彩画像のそれぞれの画素における明度の増減率ｄを求める。明度増減率ｄとは、色の明度をどれだけ変化させるか、すなわち色をどれだけ暗く、かつ明るくするかを示す定数であり、以下の式で求められる。
【００３９】
【数１】
2010164618.tif 000003
式中、ｄは明度増減率、Ｒｉｎは元色彩画像の所定の画素におけるＲレベル、ＧｉｎはＧレベルである。
また、ｋは調整用変数である。人間の視感覚には個人差があり、また、元画像の色彩状況や、赤色および緑色部分の変化周期によっても見え方は変化する。したがって、ｋを用いてｄを可変して最適化する。ｋの値は特に限定するものではなく任意に設定してよいが、本発明者等はｋを０．１〜１．０の範囲の任意の値に設定すればｄを最適化できることを実験より確認している。
【００４０】
次に、式（１）で得られた明度増減率ｄを用いて、以下の式（２）および（３）から各画素における明度の変化量（変化範囲）を求める
【００４１】
【数２】
2010164618.tif 000004
Rco_upはＲレベルの明度の変化範囲内における最明値（以下、「最高明度値」とする）、Gco_upはＧレベルの最高明度値、Bco_upはＢレベルの最高明度値である。さらに、
【００４２】
【数３】
2010164618.tif 000005
Rco_downはＲレベルの明度の変化範囲内における最暗値（以下、「最低明度値」とする）、Gco_downはＧレベルの最低明度値、Bco_downはＢレベルの最低明度値である。
【００４３】
上記式（２）および（３）により、各画素におけるＲ、Ｇ、Ｂ成分の明度はそれぞれ同一の割合で変化するよう設定される。また、明度増減率ｄが大きいほど、換言するとＲレベルとＧレベルの差が大きいほど、すなわち色相が赤または緑に近いほど、明度の変化の度合いは大きくなる。一方、明度増減率ｄが０の場合、すなわち、ＲレベルとＧレベルが同一（色相が黄）のとき明度は変化しない。
【００４４】
明度演算部１２０は、すべての画素における最高明度値および最低明度値を求めると、その値にＲ／Ｇレベル比較部１１０が求めた各画素の属性、すなわちＲ系画素かまたはＧ系画素かの結果を付加して、フレーム画像生成／格納部２０に送る。
【００４５】
［フレーム画像生成／格納部］
フレーム画像生成／格納部２０は、明度演算部１２０の演算結果に基づいて、複数（本実施形態では４部）のフレーム画像を生成する機能を有し、第１フレーム画像生成部２１０と、第２フレーム画像生成部２２０と、第３フレーム画像生成部２３０と、第４フレーム画像生成部２４０とを備える。
【００４６】
第１フレーム画像生成部２１０は、Ｒ／Ｇレベル比較部１１０によって設定されたＲ系およびＧ系画素における明度が式（２）で求めた最高明度値となるように変換した第１フレーム画像（例えば、図２（ｂ）に示す画像）を生成する。さらに、第２フレーム画像生成部２２０は、Ｒ系画素の明度を最高明度値に、さらにＧ系画素の明度を最低明度値に変換した第２フレーム画像（例えば、図２（ｃ）に示す画像）を生成し、第３フレーム画像生成部２３０は、Ｒ系画素の明度を最低明度値に、Ｇ系画素の明度を最高明度値に変換した第３フレーム画像（例えば、図２（ｄ）に示す画像）を生成し、第４フレーム画像生成部２４０は、Ｒ系およびＧ系画素における明度を最低明度値となるように変換した第４フレーム画像（図２（ｅ））を生成する。
【００４７】
第１〜第４フレーム画像が生成されると、フレーム画像生成／格納部２０はそれらのフレーム画像をメモリ、ハードディスク等で構成されるバッファ（図示せず）に格納する。
なお、この色補正の効果をより明瞭に示すために、図２のカラーの原画像図を本出願と同時に提出した物件提出書に参考色彩図面として添付したので参照されたい。
【００４８】
［画像出力部］
画像出力部３０は、バッファに格納された第１〜第４フレーム画像を選択的に読み出し、かつ出力する機能を有し、フレーム画像選択部３１０を備える。このフレーム画像選択部３１０は、予め設定された赤色部分および緑色部分の明度変化周期（本実施形態において赤は０．５秒、緑は０．１秒）を基に、各フレーム画像の出力タイミングを決定する。図３にそのタイムチャートの例を示す。図中のフレームタイプのＩ〜ＩＶは、それぞれ第１〜第４フレーム画像に該当する。
【００４９】
以上の色彩処理部１０、フレーム画像生成／格納部２０、画像出力部３０の機能を使用して、色補正処理装置１０００は入力された元色彩画像に上述の色補正を施し、１型および２型色覚障害者にとって容易に色識別が可能な色彩画像を出力する。
【００５０】
なお、出力される色彩画像の赤色部分および緑色部分の明度の変化量（変化範囲）は、その彩度の度合いに応じて決定されることに留意されたい。詳細に説明すると、元色彩画像中の色相が同一の画素間（ＲレベルとＧレベルとが同一の画素間）では上記式（１）で求める増減率ｄが同一の値となる。したがって、それらの画素の明度の変化量は、式（２）および式（３）を参照するとＲｉｎ、Ｇｉｎ、Ｂｉｎの値にのみ依存する。一方、彩度はＲ、Ｇ、Ｂレベルが大きいほど高くなるため、結果として、同一の色相を有する画素では、その彩度が高いほど明度の変化量が大きくなる。
例えば、ｄ＝０．２で、Ｒｉｎがそれぞれ３０と２００になる２つの画素の明度の変化量を求めると、
Ｒｉｎ＝３０では、Rco_up＝３６、Rco_down＝２４となり、明度変化量＝１２となる。
Ｒｉｎ＝２００では、Rco_up＝２４０、Rco_down＝１６０となり、明度変化量＝８０となる。
したがって、同一の色相を有する画素であっても、明度の変化量の大きさによって彩度の相違の度合いを示すことができる。
【００５１】
以上に説明した色補正処理装置１０００は様々な用途に適用可能である。例えば、撮像装置を有する端末（カメラ付き携帯電話、カメラが接続されたコンピュータ等）に色補正処理装置１０００を適用することができる。その場合、撮像装置によって撮像された風景が色補正処理装置１０００によって色補正され、その補正された風景が端末のモニタ上に表示される。したがって、色覚障害者は、色の知りたい風景を撮像し、撮像した画像をモニタ上で観察することによってその風景の色を知ることができる。
【００５２】
また、本実施形態では、色彩画像の画素の明度を２つの段階で変化させているが、本発明の明度の変化方法はこの手法に限定されるものではない。代替的に、中間値を１つまたは複数求めて、明度を３以上の段階で変化させてもよい。この段階を増やすほど作成するフレーム画像の数が増えて処理するデータ量が多くなるが、明度はより自然に変化するように見える。例えば、元画像が静止画像の場合には、明度の変化がより自然に見えるように明度変化段階を多く設定し、動画像の場合には、そのフレームレートに追従してリアルタイムに色補正処理ができるよう明度変化段階を少なく設定することができる。すなわち、明度を変化させる段階の数は、色補正を行う元色彩画像の種類、補正処理を行う装置の演算能力、色覚障害者であるユーザの視感覚等を基に適宜決定されることが好ましい。
【００５３】
さらに、電光掲示板や液晶掲示板等の各種の表示装置にも適用することができる。この場合には、通常の表示と色補正された表示とを所定の間隔で切り換えることが好ましい。これにより、色覚正常者および色覚障害者の双方が同時に表示された内容を観察することができる。
【００５４】
以上に渡って本発明の一実施形態に係る色補正処理装置の機能について説明した。次は、この色補正処理装置が行う色補正処理の手順について、図４および図５のフロー図を用いて説明する。
【００５５】
最初に図４を参照すると、色補正処理装置１０００の色彩処理部１０に処理対象物である、図２（ａ）に示すような元色彩画像のデータが入力される（ステップＳ１０）。次に、その画像を構成する画素の中から処理する画素を決定する（ステップＳ２０）。処理対象の画素が決定すると、Ｒ／Ｇレベル比較部１１０がその画素におけるＲレベルとＧレベルとを比較する（ステップＳ３０）。ＲレベルがＧレベルよりも大きい場合には（ステップＳ３０で「ＹＥＳ」）、該当の画素をＲ系画素に決定する（ステップＳ４０）。一方、ＧレベルがＲレベルよりも大きい場合には（ステップＳ３０で「ＮＯ」）、該当の画素をＧ系画素に決定する（ステップＳ５０）。
【００５６】
ステップＳ３０〜Ｓ５０の処理と平行して、以下の処理が行われる。明度演算部１２０が処理対象の画素に対して式（１）を用いて明度増減率ｄを求める（ステップＳ６０）。続いて、その明度増減率ｄと式（２）および（３）とを用いて明度の変化量（最高明度値Rco_upおよび最低明度値Rco_down）を求める（ステップＳ７０）。
【００５７】
ステップＳ４０、Ｓ５０、Ｓ７０の処理が終わると、これらの処理で求めた結果である、画素の属性（Ｒ系、Ｇ系）および明度変化量をこの画素の座標に関連付ける。そして、未処理の画素が残っている場合には（ステップＳ９０で「ＮＯ」）、未処理の画素に対してステップＳ２０〜Ｓ８０の処理を繰り返す。すべての画素に対して処理を行ったならば（ステップＳ９０で「ＹＥＳ」）、ステップＳ８０の処理で関連付けをしたデータをすべてフレーム画像生成／格納部２０に渡す。
【００５８】
次に図５を参照して説明する。フレーム画像生成／格納部２０は、受け取ったデータを基に第１〜第４フレーム画像を生成する。詳細には、第１フレーム画像生成部２１０が、元色彩画像のＲ系画素とＧ系画素のＲ、Ｇ、Ｂの明度をステップＳ７０で求めた最大明度値Rco_upに変換し（ステップＳ１００）、この画像を第１フレーム画像としてバッファに書き込む（ステップＳ１１０）。
【００５９】
さらに、第２フレーム画像生成部２２０が元色彩画像のＲ系画素のＲ、Ｇ、Ｂの明度をステップＳ７０で求めた最大明度値Rco_upに、さらにＧ系画素のＲ、Ｇ、Ｂの明度をステップＳ７０で求めた最小明度値Rco_downに変換する（ステップＳ１２０）。この画像を第２フレーム画像としてバッファに書き込む（ステップＳ１３０）。
【００６０】
さらに、第３フレーム画像生成部２３０が元色彩画像のＲ系画素のＲ、Ｇ、Ｂの明度を最小明度値Rco_downに、さらにＧ系画素のＲ、Ｇ、Ｂの明度を最大明度値Rco_upに変換する（ステップＳ１４０）。この画像を第３フレーム画像としてバッファに書き込む（ステップＳ１５０）。
【００６１】
さらに、第４フレーム画像生成部２４０が元色彩画像のＲ系画素とＧ系画素のＲ、Ｇ、Ｂの明度を最小明度値Rco_downに変換し（ステップＳ１６０）、この画像を第４フレーム画像としてバッファに書き込む（ステップＳ１７０）。
【００６２】
すべてのフレーム画像をバッファに書き込むと、次に画像出力部３０は予め決定されている赤色部分の変化周期（０．５秒）と緑色部分の変化周期（０．１秒）とを基に、図４に示すようなタイムチャートを生成し、出力すべきフレーム画像を決定する（ステップＳ１８０）。そして、決定したフレーム画像をバッファから読み出し（ステップＳ１９０）、そして出力する（ステップＳ２００）。
以上が本実施形態に係る色補正方法の手順である。この方法により、１型および２型色覚障害者に対して色補正された色彩画像を提供することができる。
【００６３】
なお、本発明の一実施形態に係る色補正処理装置が有する機能は、特定のハードウェア資源またはソフトウェア処理に限定されないことに留意されたい。すなわち、この機能を実現できる限り、如何なるハードウェア（電子回路等）、ソフトウェア（プログラム）、あるいはそれらの組み合わせ等を用いてよい。
【００６４】
上述した本発明の一実施形態に係る画像処理方法を、プログラムとして実装する場合には、このプログラムを外部のサーバ等から該方法を実行する情報処理装置にダウンロードするか、あるいはコンピュータ可読媒体の形態で分配されることが好ましい。コンピュータ可読媒体の例としては、ＣＤ−ＲＯＭ、ＤＶＤ、磁気テープ、フレキシブルディスク、光磁気ディスク、ハードディスクなどが挙げられる。
【００６５】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００６６】
【図１】本発明の一実施形態に係る色補正処理装置１０００の機能を示すブロック図である。
【図２】色彩画像の図であり、（ａ）は処理対象である元色彩画像であり、（ｂ）は第１フレーム画像であり、（ｃ）は第２フレーム画像であり、（ｄ）は第３フレーム画像であり、（ｅ）は第４フレーム画像である。なお、このカラー画像を物件提出書に添付する。
【図３】第１〜第４フレーム画像の出力のタイミングを示すタイムチャートである。
【図４】本発明の一実施形態に係る色補正処理装置１０００が行う色補正処理のフロー図である。
【図５】本発明の一実施形態に係る色補正処理装置１０００が行う色補正処理のフロー図である。
【符号の説明】
【００６７】
１０    色彩処理部
２０    フレーム画像生成／格納部
３０    画像出力部
１１０  Ｒ／Ｇレベル比較部
１２０  明度演算部
２１０  第１フレーム画像生成部
２２０  第２フレーム画像生成部
２３０  第３フレーム画像生成部
２４０  第４フレーム画像生成部
３１０  フレーム画像切換制御部
１０００  色補正処理装置
【図１】
2010164618.tif 000006
【図２】
2010164618.tif 000007
【図３】
2010164618.tif 000008
【図４】
2010164618.tif 000009
【図５】
2010164618.tif 000010